(57)【要約】【課題】風の減速効果をより一層増大させると共に、通気性や透視性にも配慮した柵用有孔板を提供しようとする。【解決手段】板１に多数の透孔２を有し、この透孔２の一部を除いて被覆する舌片３が透孔面から間隙４をおいて設けられている。【選択図】図３
2004068581.tif 000002
【特許請求の範囲】
【請求項１】
板に多数の透孔を有し、この透孔の一部を除いて被覆する舌片が透孔面から間隙をおいて設けられている柵用有孔板。
【請求項２】
舌片は透孔の一方の板面に設けられている請求項１記載の柵用有孔板。
【請求項３】
舌片は透孔の両方の板面に設けられている請求項１記載の柵用有孔板。
【請求項４】
透孔の一方の板面に設けられる舌片が、板の両面に選択して配設されている請求項２記載の柵用有孔板。
【請求項５】
透孔を形成するための切除部に非切込部分を設け、その非切込部分を基端として切除部を板の一方の面へ折曲して舌片を形成したものである請求項１、２、３又は４記載の柵用有孔板。
【請求項６】
透孔を被覆する舌片の先方部が透孔面と平行である請求項１、２、３、４又は５記載の柵用有孔板。
【請求項７】
板が屈曲板である請求項１、２、３、４、５又は６記載の柵用有孔板。
【発明の詳細な説明】
【０００１】
【発明の属する技術分野】
本発明は、風及び風によって運ばれる雪や砂或いは波等から人、建物や樹木等を保護するため、或いは車両・船等の安全走行を図るために防風・防雪・防砂・防波等の目的で設置される柵に使用される柵用有孔板に関するものである。
【０００２】
【従来の技術】
従来の柵用有孔板は、折板、平板等の板体に多数の打抜孔が穿設されている。
例えば、実開昭６１ー３２３５８や実開昭６１ー４５４１３では、折曲板に丸、三角、四角形、ひし形、長円等の各種形状の透孔が全面に設けられ、又特開２００２ー８９０８６にはスリット状の透孔を設けたものが開示されている。
【０００３】
【発明が解決しようとする課題】
従来の柵用有孔板は上記のように構成され、風が有孔板の打抜孔を通過すると、折板では方向を変えて衝突して乱流となり、又平板では打抜孔の周縁部で乱流となり減速され、これにより風圧力を軽減し、風及び風によって運ばれる雪や砂或いは波（波しぶき）等から人、建物や樹木等を保護すると共に、車両等の安全走行を図っている。
【０００４】
本発明は、このような従来の柵用有孔板の風の減速効果をより一層増大させると共に、通気性や透視性にも配慮した柵用有孔板を提供しようとするものである。
【０００５】
【課題を解決するための手段】
請求項１の発明は、板に多数の透孔を有し、この透孔の一部を除いて被覆する舌片が透孔面から間隙をおいて設けられていることを特徴とするものである。
【０００６】
透孔の部分にも舌片によって遮蔽作用が生じ、透孔を通過する方向へ吹いて来る風は、その通過前又は通過後に舌片に衝突し、向きが変わって互いにぶっかり合って乱流となり、風速が減衰するのであり、この時、板面に衝突して生じる風の乱流（従来の有孔板のもの）とは異なるため、この二つの乱流が相俟って一層複雑な乱流となり、更なる風速の減衰作用が生じるのである。
その結果、風に運ばれて柵に衝突する雪や砂或いは波等は、風速が減殺されることによって飛散する勢いは衰え、透孔を通過した雪等も柵際近くに落下するのである。
【０００７】
又、舌片は透孔の一部を被覆するものであって、かつ透孔面から間隙をおいているため、透視性が認められると共に通気性も得られるため閉塞感がなく、環境にも適合するものとなる。
【０００８】
請求項２の発明は、舌片を透孔の一方の板面に設けたものであり、舌片が設けられた面を風上側或いは風下側へ任意に決定して設置できる。
又、請求項３の発明は、舌片が透孔の両方の板面に設けられているもの、請求項４の発明は、舌片が透孔の一方の板面と他方の板面に別れて設けられたものである。
【０００９】
請求項５の発明は、透孔を形成するための切除部に非切込部分を設け、その非切込部分を基端として切除部を板の一方の面へ折曲して舌片を形成したものであり、透孔を形成するため切除する部分を利用して舌片を形成したものである。
【００１０】
請求項６の発明は、舌片の透孔被覆部分の先方が透孔面と平行に形成したものであり、舌片が透孔面（板面）と平行であっても、板前と前後の位置関係となるため、風が衝突する時間差が生じ、複雑な乱流を生じさせるものとなる。
【００１１】
請求項７の発明は、板が屈曲板としたものであって、板面の屈曲面で生じる乱流及び舌片の乱流がそれぞれ個々に異なってくるため、複雑に作用して風の減衰効果を期待できるのである。
【００１２】
【発明の実施の形態】
本発明の実施の形態を図面に基づいて説明する。
図１は本発明の一実施の形態を示す正面図、図２は同拡大した正面図、図３は同平面図であり、柵用の板１に多数の透孔２…が形成されている、いわゆる有孔板である。
舌片３が透孔２を隠すように、間隙４をおいて被覆する状態に設けられ、舌片３の被覆は透孔２の全面に被覆するものでなく、一部が透過５できるものとなっている。
【００１３】
そして、図１乃至図３では、透孔２は横長四角形とし、該透孔２を形成するための切断線である四辺６Ａ、６Ｂ、６Ｃ、６Ｄの中、一方の短辺６Ａを除いて、他の三辺６Ｂ、６Ｃ、６Ｄを切断し、残った短辺６Ａを基端として本来は切断する部分を正面側（又は背面側）へ稍アールを形成して斜めに折り起こし、透孔２と共に舌片３を形成したものである（請求項５）。
その結果、舌片３が斜めに起折され、透孔２とに間隙４が生じることによって透孔２の一部が透過５できるものと成っている。
【００１４】
起折する基端（図面では短辺６Ａ）を他の辺（例えば短辺６Ｃ）としてもよく、板１の総てが同一条件で折曲される必要もなく、基端の辺が異なって起折した舌片３…が混在していてもよい。
又、透孔２の形状も長四角形に限定されるものでなく、任意の形状を選択でき、透孔２の大きさ、配設する間隔や板の一部分に透孔２を設けること等自由に設計できるのであり、これ等のことは以下の実施の形態においても同様である。
【００１５】
図４は、請求項３の一実施の形態を示すもので、舌片３Ａ、３Ｂを透孔２の両方の板面に設けたものであり、横長四角形の透孔２の長辺６Ｂ、６Ｄを切断すると共に、長辺６Ｂ、６Ｄの中間部を短辺６Ａ、６Ｃと平行に切断６Ｅし、残った短辺６Ａ、６Ｃを基端として、互いに板１の異なった面（側）へ切除する部分を起折して舌片３Ａ、３Ｂを形成したものである。
【００１６】
図５は、請求項４の一実施の形態を示すものであり、板１の一方の面にのみ設けられる舌片３が、それぞれ前面側か背面側に選択的に形成されている点が図１乃至図３の舌片と異なるものである。
【００１７】
ところで、一方の面のみに舌片３を有する単体の板１（図１乃至図３の板）を多数用いて一連の柵を構築するのに、舌片３を設けた面を表側や裏側に上下・左右方向へ適宜配置して柵を構成することは自由に設計できる事項であり、又これまでの図面（図１乃至図５）で例示した舌片３の態様を有する板１を複数種類選択して組み合わせ、一連の柵が構築できることも言うまでもない。
【００１８】
図６は、請求項６の一実施の形態を示す正面図、図７は同断面図であり、舌片３の基部近傍３Ａは斜め方向に屈曲し、先方３Ｂが透孔２面と平行に屈曲して形成されたものであり、又図８は基部近傍３Ａを直角に屈曲した形態を表す平面図である。二段に屈曲することによって透過５部分が広くなり、透視性が良好となる。
【００１９】
図９乃至図１１は、請求項７のそれぞれ一実施の形態を示す側面図又は正面図であり、板１を屈曲したもので、横長の鋼製板に曲加工を施し、上端部の垂直面７及び上端部の垂直面に連続する突出傾斜面８、突出傾斜面８に連続する突出垂直面９、突出垂直面９に連続する後退傾斜面１０、後退傾斜面１０に連続する下端部の垂直面１１とし、側面が略波状の板１と成っている。
【００２０】
柵用有孔板として、板本体を略波状に折曲することは既に周知の構成であり、各種態様の有孔板が提案され又実用化されているのであり、これ等総ての折曲形態を利用できるものである。
【００２１】
【発明の効果】
以上のように、本発明は透孔に向かって吹いて来る風、或いは風に運ばれて来る雪・砂・波等は、透孔に付設された舌片に当たって生じる異質の乱流と板面に当たって生じる乱流とが相俟って、更に複雑な乱流が発生し、互いの減殺作用によって風速が減衰されると共に、雪・砂・波等の飛散する勢いも衰えて柵際に落下し、風・雪、砂・波等から人、樹木、建物、車輌等を防護する効果を発揮するものである。
【図面の簡単な説明】
【図１】本発明の一実施の形態を示す正面図である。
【図２】図１の拡大した一部正面図である。
【図３】図１の拡大した一部横断平面図である。
【図４】本発明の他の実施の形態を示す斜視図である。
【図５】本発明の他の実施の形態を示す平面図である。
【図６】本発明他の実施の形態を示す正面図である。
【図７】図６の一部横断平面図である。
【図８】本発明の他の実施の形態を示す横断平面図である。
【図９】本発明の他の実施の形態を示す縦断側面図である。
【図１０】本発明の他の実施の形態を示す正面図である。
【図１１】本発明の他の実施の形態を示す正面図である。
【符号の説明】
１　板
２　透孔
３　舌片
３Ａ　基部近傍
３Ｂ　先方
４　間隙
５　透過
６Ａ、６Ｂ、６Ｃ、６Ｄ、６Ｅ　辺
７、９、１１　垂直面
８、１０　傾斜面
【図１】
2004068581.tif 000003
【図２】
2004068581.tif 000004
【図３】
2004068581.tif 000005
【図４】
2004068581.tif 000006
【図５】
2004068581.tif 000007
【図６】
2004068581.tif 000008
【図７】
2004068581.tif 000009
【図８】
2004068581.tif 000010
【図９】
2004068581.tif 000011
【図１０】
2004068581.tif 000012
【図１１】
2004068581.tif 000013
【手続補正書】
【提出日】平成15年5月6日(2003.5.6)
【手続補正１】
【補正対象書類名】明細書
【補正対象項目名】全文
【補正方法】変更
【補正の内容】
【発明の詳細な説明】
【特許請求の範囲】
【請求項１】板に多数の透孔を有し、この透孔の一部を除いて被覆する舌片が透孔面から間隙をおいて設けられている柵用有孔板。
【請求項２】舌片は透孔の一方の板面に設けられている請求項１記載の柵用有孔板。
【請求項３】舌片は透孔の両方の板面に設けられている請求項１記載の柵用有孔板。
【請求項４】透孔の一方の板面に設けられる舌片が、板の両面に選択して配設されている請求項２記載の柵用有孔板。
【請求項５】透孔を形成するための切除部に非切込部分を設け、その非切込部分を基端として切除部を板の一方の面へ折曲して舌片を形成したものである請求項１、２、３又は４記載の柵用有孔板。
【請求項６】透孔を被覆する舌片の先方部が透孔面と平行である請求項１、２、３、４又は５記載の柵用有孔板。
【請求項７】板が屈曲板である請求項１、２、３、４、５又は６記載の柵用有孔板。
【発明の詳細な説明】
【０００１】
【発明の属する技術分野】
本発明は、波風及び風によって運ばれる雪や砂或いは波しぶき等から人、車輌、建物や樹木等を保護するため、或いは車両等の安全走行を図るために防波・防風・防雪・防砂等の目的で設置される柵に使用される柵用有孔板に関するものである。
【０００２】
【従来の技術】
従来の柵用有孔板は、折板、平板等の板体に多数の打抜孔が穿設されている。
例えば、実開昭６１ー３２３５８や実開昭６１ー４５４１３では、折曲板に丸、三角、四角形、ひし形、長円等の各種形状の透孔が全面に設けられ、又特開２００２ー８９０８６にはスリット状の透孔を設けたものが開示されている。
【０００３】
【発明が解決しようとする課題】
従来の柵用有孔板は上記のように構成され、風が有孔板の打抜孔を通過すると、折板では方向を変えて衝突して乱流となり、又平板では打抜孔の周縁部で乱流となり減速され、これにより風圧力を軽減し、波や風及び風によって運ばれる雪や砂或いは波しぶき等から人、建物や樹木等を保護すると共に、車両等の安全走行を図っている。
【０００４】
しかし、透孔を有するため、例えば透孔から波が道路側に入り込み、車両の通行の安全性を害したり、車両の窓を閉めておかねばならず、又無透孔とすれば、圧迫感や閉塞感を与えるものとなる。
本発明は、このような従来の柵用有孔板の遮蔽対策や風の減速効果をより一層増大させると共に、通気性や透視性にも配慮した柵用有孔板を提供しようとするものである。
【０００５】
【課題を解決するための手段】
請求項１の発明は、板に多数の透孔を有し、この透孔の一部を除いて被覆する舌片が透孔面から間隙をおいて設けられていることを特徴とするものである。
【０００６】
透孔の部分にも舌片によって遮蔽作用が生じ、透孔を有するにもかかわらず、柵の全面的な遮蔽作用を有する。又透孔を通過する方向へ吹いて来る風は、その通過前又は通過後に舌片に衝突し、向きが変わって互いにぶっかり合って乱流となり、風速が減衰するのであり、この時、板面に衝突して生じる風の乱流（従来の有孔板のもの）とは異なるため、この二つの乱流が相俟って一層複雑な乱流となり、更なる風速の減衰作用が生じるのである。
その結果、風に運ばれて柵に衝突する波や雪或いは砂等は、透孔を直接通過するのを阻止されると共に、風速が減殺されることによって飛散する勢いは衰え、例え透孔を通過した波等も柵際近くに落下するのである。
【０００７】
又、舌片は透孔の一部を被覆するものであって、かつ透孔面から間隙をおいているため、正面の一部と、少なくとも斜め方向からの透視性が認められると共に通気性も得られるため、特に車両のドライバーや乗車者には閉塞感がなく、景色も楽しめ環境にも適合するものとなる。
【０００８】
請求項２の発明は、舌片を透孔の一方の板面に設けたものであり、舌片が設けられた面を風上側或いは風下側へ任意に決定して設置できる。
又、請求項３の発明は、舌片が透孔の両方の板面に設けられているもの、請求項４の発明は、舌片が透孔の一方の板面と他方の板面に別れて設けられたものである。
【０００９】
請求項５の発明は、透孔を形成するための切除部に非切込部分を設け、その非切込部分を基端として切除部を板の一方の面へ折曲して舌片を形成したものであり、透孔を形成するため切除する部分を利用して舌片を形成したものである。
【００１０】
請求項６の発明は、舌片の透孔被覆部分の先方が透孔面と平行に形成したものであり、舌片が透孔面（板面）と平行であっても、板前と前後の位置関係となるため、風が衝突する時間差が生じ、複雑な乱流を生じさせるものとなる。
【００１１】
請求項７の発明は、板が屈曲板としたものであって、板面の屈曲面で生じる乱流及び舌片の乱流がそれぞれ個々に異なってくるため、複雑に作用して風の減衰効果を期待できるのである。
【００１２】
【発明の実施の形態】
本発明の実施の形態を図面に基づいて説明する。
図１は本発明の一実施の形態を示す正面図、図２は同拡大した正面図、図３は同平面図であり、柵用の板１に多数の透孔２…が形成されている、いわゆる有孔板である。
舌片３が透孔２を隠すように、間隙４をおいて被覆する状態に設けられ、舌片３の被覆は透孔２の全面に被覆するものでなく、一部が透過５できるものとなっている。
【００１３】
そして、図１乃至図３では、透孔２は横長四角形とし、該透孔２を形成するための切断線である四辺６Ａ、６Ｂ、６Ｃ、６Ｄの中、一方の短辺６Ａを除いて、他の三辺６Ｂ、６Ｃ、６Ｄを切断し、残った短辺６Ａを基端として本来は切断する部分を正面側（又は背面側）へ稍アールを形成して斜めに折り起こし、透孔２と共に舌片３を形成したものである（請求項５）。
その結果、舌片３が斜めに起折され、透孔２とに間隙４が生じることによって透孔２の一部が透過５できるものと成っている。
【００１４】
起折する基端（図面では短辺６Ａ）を他の辺（例えば短辺６Ｃ）としてもよく、板１の総てが同一条件で折曲される必要もなく、基端の辺が異なって起折した舌片３…が混在していてもよい。
又、透孔２の形状も長四角形に限定されるものでなく、任意の形状を選択でき、透孔２の大きさ、配設する間隔や板の一部分に透孔２を設けること等自由に設計できるのであり、これ等のことは以下の実施の形態においても同様である。
【００１５】
図４は、請求項３の一実施の形態を示すもので、舌片３Ａ、３Ｂを透孔２の両方の板面に設けたものであり、横長四角形の透孔２の長辺６Ｂ、６Ｄを切断すると共に、長辺６Ｂ、６Ｄの中間部を短辺６Ａ、６Ｃと平行に切断６Ｅし、残った短辺６Ａ、６Ｃを基端として、互いに板１の異なった面（側）へ切除する部分を起折して舌片３Ａ、３Ｂを形成したものである。
【００１６】
図５は、請求項４の一実施の形態を示すものであり、板１の一方の面にのみ設けられる舌片３が、それぞれ前面側か背面側に選択的に形成されている点が図１乃至図３の舌片と異なるものである。
【００１７】
ところで、一方の面のみに舌片３を有する単体の板１（図１乃至図３の板）を多数用いて一連の柵を構築するのに、舌片３を設けた面を表側や裏側に上下・左右方向へ適宜配置して柵を構成することは自由に設計できる事項であり、又これまでの図面（図１乃至図５）で例示した舌片３の態様を有する板１を複数種類選択して組み合わせ、一連の柵が構築できることも言うまでもない。
【００１８】
図６は、請求項６の一実施の形態を示す正面図、図７は同断面図であり、舌片３の基部近傍３Ａは斜め方向に屈曲し、先方３Ｂが透孔２面と平行に屈曲して形成されたものであり、又図８は基部近傍３Ａを直角に屈曲した形態を表す平面図である。二段に屈曲することによって透過５部分が広くなり、透視性が良好となる。
【００１９】
図９乃至図１１は、請求項７のそれぞれ一実施の形態を示す側面図又は正面図であり、板１を屈曲したもので、横長の鋼製板に曲加工を施し、上端部の垂直面７及び上端部の垂直面に連続する突出傾斜面８、突出傾斜面８に連続する突出垂直面９、突出垂直面９に連続する後退傾斜面１０、後退傾斜面１０に連続する下端部の垂直面１１とし、側面が略波状の板１と成っている。
【００２０】
柵用有孔板として、板本体を略波状に折曲することは既に周知の構成であり、各種態様の有孔板が提案され又実用化されているのであり、これ等総ての折曲形態を利用できるものである。
【００２１】
【発明の効果】
以上のように、本発明は透孔に向かって吹いて来る波、風或いは風に運ばれて来る雪・砂等は、透孔に付設された舌片に当たって通過を阻止する効果を有するものである。
又、板面に当たって生じる乱流と舌片に当たって生じる異質の乱流とが相俟って、更に複雑な乱流が発生し、互いの減殺作用によって風速が減衰されると共に、波・雪・砂等の飛散する勢いも衰えて柵際に落下し、波・風・雪・砂等から車両・人・樹木・建物等を防護する効果を発揮するものである。
【００２２】
そして、舌片が透孔の一部を除いて、かつ透孔面から間隙をおいて設けられているため、一部の透視性を確保すると共に、少なくとも斜め方向からの透視性が得られ、圧迫感や閉塞感がなく、景色も楽しめるため、特に海岸線に沿った道路に立設する柵に有効である。
【図面の簡単な説明】
【図１】本発明の一実施の形態を示す正面図である。
【図２】図１の拡大した一部正面図である。
【図３】図１の拡大した一部横断平面図である。
【図４】本発明の他の実施の形態を示す斜視図である。
【図５】本発明の他の実施の形態を示す平面図である。
【図６】本発明他の実施の形態を示す正面図である。
【図７】図６の一部横断平面図である。
【図８】本発明の他の実施の形態を示す横断平面図である。
【図９】本発明の他の実施の形態を示す縦断側面図である。
【図１０】本発明の他の実施の形態を示す正面図である。
【図１１】本発明の他の実施の形態を示す正面図である。
【符号の説明】
１　板
２　透孔
３　舌片
３Ａ　基部近傍
３Ｂ　先方
４　間隙
５　透過
６Ａ、６Ｂ、６Ｃ、６Ｄ、６Ｅ　辺
７、９、１１　垂直面
８、１０　傾斜面